(57)【要約】【課題】安定して走行できる乗用培土機を提供する。【解決手段】乗用培土機１は、前後一直線上に単一の前輪１１及び単一の後輪１２が設けられる乗用型の走行機体１０と、前輪１１及び後輪１２の間に設けられる培土体２と、走行機体１０に取り付けられ、走行機体１０の左右両側に配置される補助輪２５と、を備える。また、補助輪２５の高さが変更可能に構成される。また、培土体２は、後輪１２の直前方に配置され、培土体２の高さ及び後輪１２の高さが、それぞれ変更可能に構成される。【選択図】図１
0003182999.tif 000002
【実用新案登録請求の範囲】
【請求項１】
前後一直線上に単一の前輪及び単一の後輪が設けられる乗用型の走行機体と、
前記前輪及び後輪の間に設けられる培土体と、
前記走行機体に取り付けられ、前記走行機体の左右両側に配置される補助輪と、
を備えることを特徴とする、
乗用培土機。
【請求項２】
前記補助輪の高さが変更可能に構成されることを特徴とする、
請求項１に記載の乗用培土機。
【請求項３】
前記培土体は、前記後輪の直前方に配置され、
前記培土体の高さ及び前記後輪の高さが、それぞれ変更可能に構成されることを特徴とする、
請求項１又は請求項２に記載の乗用培土機。
【請求項４】
前記走行機体には、運転席と、前記運転席への着座者が足を載せる足載せ部が設けられ、
前記足載せ部には、前記補助輪が取り付けられることを特徴とする、
請求項１〜請求項３のいずれか一項に記載の乗用培土機。
【考案の詳細な説明】
【技術分野】
【０００１】
本考案は、乗用培土機に関する。
【背景技術】
【０００２】
従来、トラクタの搬入が困難な狭い圃場では、歩行型の培土機を用いて左右の畝の側面への土寄せ作業が行われていた。歩行型の培土機の技術は公知である（例えば、特許文献１）。しかし、作業労力軽減等の観点から乗用型の培土機（乗用培土機）を用いたいとの要請がある。また、乗用培土機を用いる場合、安定して走行できるものを用いたいとの要請がある。
【先行技術文献】
【特許文献】
【０００３】
【特許文献１】特開２０１１−１３９６３９号公報
【考案の概要】
【考案が解決しようとする課題】
【０００４】
本考案は、以上の如き状況を鑑みてなされたものであり、安定して走行できる乗用培土機を提供することを課題とする。
【課題を解決するための手段】
【０００５】
請求項１に記載の乗用培土機は、
前後一直線上に単一の前輪及び単一の後輪が設けられる乗用型の走行機体と、
前記前輪及び後輪の間に設けられる培土体と、
前記走行機体に取り付けられ、前記走行機体の左右両側に配置される補助輪と、
を備える。
【０００６】
請求項２に記載の乗用培土機においては、
前記補助輪の高さが変更可能に構成される。
【０００７】
請求項３に記載の乗用培土機においては、
前記培土体は、前記後輪の直前方に配置され、
前記培土体の高さ及び前記後輪の高さが、それぞれ変更可能に構成される。
【０００８】
請求項４に記載の乗用培土機においては、
前記走行機体には、運転席と、前記運転席への着座者が足を載せる足載せ部が設けられ、
前記足載せ部には、前記補助輪が取り付けられる。
【考案の効果】
【０００９】
本発明の効果として、以下に示すような効果を奏する。
【００１０】
請求項１においては、走行機体が補助輪で支持されて倒れることが抑制されるので、安定して走行することが可能となる。
【００１１】
請求項２においては、補助輪の高さを圃場の状態に応じて調節することが可能となる。また補助輪２５の下端を前輪と後輪の下端よりも僅かに高く配置して、走行機体が一定範囲で左右に傾動できるように構成することが可能である。これにより、運転者が、走行機体を運転している状態で、体重を左右に移動させて、走行機体を左右に傾動させて操向操作することが可能となる。
【００１２】
請求項３においては、圃場の土質による後輪の沈み込みの深さに合わせて、培土体と後輪の高さを相対的に調整することが容易に行える。
【００１３】
請求項４においては、部品点数を減らすことが可能となる。
【図面の簡単な説明】
【００１４】
【図１】乗用培土機を後方斜め上から見た斜視図である。
【図２】乗用培土機の前面図である。
【図３】乗用培土機の後面図である。
【図４】乗用培土機の左側面図である。
【図５】乗用培土機の右側面図である。
【図６】乗用培土機の上面図である。
【図７】乗用培土機の下面図である。
【図８】培土体を前方斜め上から見た斜視図である。
【図９】図１の一部拡大図である。
【図１０】乗用培土機の後面図である。
【図１１】乗用培土機の後面図である。
【図１２】（ａ）は補助輪の変形例の左側面図であり、（ｂ）は図１２（ａ）の上面図である。
【考案を実施するための形態】
【００１５】
以下では、乗用培土機１について説明する。
乗用培土機１は、左右の畝の間を走行して、その左右の畝の内側面への土寄せ、又は、畝立て作業を行うものである。
【００１６】
図１〜図７に示すように、乗用培土機１は、乗用型の走行機体１０を備える。走行機体１０の前部には単一の前輪１１が設けられ、走行機体１０の後部には単一の後輪１２が設けられる。前輪１１及び後輪１２は前後一直線上に配置される。
【００１７】
前輪１１の前上方にはエンジン１３が設けられ、エンジン１３の出力軸は動力伝達機構を介して前輪１１と接続されている。走行機体１０はエンジン１３の駆動力により前輪１１が駆動されて走行する。なお、エンジン１３の位置や走行機体１０の駆動方式については特に限定されず、エンジン１３を走行機体１０の後部に設けてもよく、後輪１２又は前後輪１１・１２を駆動するように構成してもよい。
【００１８】
走行機体１０の前後中央の上部には運転席（サドル）１４が設けられ、運転席１４の前方にはハンドル１５が設けられる。ハンドル１５には、エンジン１３の回転数を操作可能な操作具１６が設けられる。ハンドル１５の前下方にはエンジン１３が配置され、エンジン１３の下部には運転席１４への着座者が足を載せる足載せ部１７が設けられる。足載せ部１７は、エンジン１３の下部から左右両側に突出する棒形状を有する。
【００１９】
前記走行機体１０は、前後水平方向に延設される機体フレーム２０と、該機体フレーム２０の前部から前上方に延設されるハンドルフレーム３と、機体フレーム２０の後部で略三角形状に枠組みされる補助フレーム２６を有する。
機体フレーム２０の前部には前輪１１が回転自在に支持され、ハンドルフレーム３は逆Ｙ字状に構成して、上端に左右水平方向にハンドル１５を固設し、下部は前輪１１を跨ぐように機体フレーム２０の前部に固定される。補助フレーム２６は左右水平方向に延設される横フレーム２６ａと、横フレーム２６ａの左右中央後方に上下方向に配設される上下フレーム２６ｂと、横フレーム２６ａの左右両端と上下フレーム２６ｂの上部とを連結する連結フレーム２６ｃを有する。該横フレーム２６ａの左右中央が機体フレーム２０の前後中途部に固定され、上下フレーム２６ｂの上部が機体フレーム２０の後端に固定される。横フレーム２６ａの左右両側には補助輪２５がそれぞれ取り付けられ、上下フレーム２６ｂ下端には後輪１２が回転自在に支持される。
図８に示すように、前記横フレーム２６ａの左右中央にはブラケット２６ｄが設けられ、ブラケット２６ｄは機体フレーム２０に対してボルト等によって着脱可能に取り付けられる。ブラケット２６ｄの上面には横フレーム２６ａの左右中央が溶接等で固設され、ブラケット２６ｄから突出した支持杆２６ｅに後述する培土体２が上下高さ調節可能に取り付けられる。こうして、後輪１２及び左右補助輪２５を取り付けた補助フレーム２６は機体フレーム２０に対して着脱可能に構成している。
前記前輪１１及び後輪１２の間には培土体２が設けられる。
【００２０】
以上のように、乗用培土機１は、前後一直線上に単一の前輪１１及び単一の後輪１２が設けられる乗用型の走行機体１０を備え、前輪１１及び後輪１２の間に培土体２を設ける構造を有する。これにより、乗用培土機１をコンパクト化でき、トラクタを搬入して作業を行うことが困難な狭い圃場でも用いることが可能となる。
【００２１】
図１及び図８に示すように、培土体２は、後方に向かうにつれて左右両側に広がる刃体１９と、該刃体１９の左右両後部から後方に向かうにつれて左右外側へ延設される培土板１８を有する。
培土体２は、走行機体１０の機体フレーム２０に、支持部４を介して取り付けられている。支持部４は、機体フレーム２０に着脱可能に取り付けられたブラケット２６ｄに高さ調節可能に取り付けられる取付ステー２１と、該取付ステー２１に前後回動可能に取り付けられる揺動フレーム２２と、揺動フレーム２２と培土板１８の間に介装される幅調節アーム２３を有する。
取付ステー２１は前部がボス状に構成され、ブラケット２６ｄより下方に突設された支持杆２６ｅに嵌合して、ボルト、ピン等により支持杆２６ｅに固定される。支持杆２６ｅには取付ステー２１を固定するための孔が上下方向に間隔を空けて複数形成されており、取付ステー２１を固定する孔を変更することで、培土体２の高さが変更される。
揺動フレーム２２は側面視Ｌ字状に構成され、上部が取付ステー２１に揺動自在に支持され、取付ステー２１の後部と揺動フレーム２２の下部との間に調節ボルトが介装されている。こうして、調節ボルトを回動することで取付ステー２１と揺動フレーム２２との間隔が変更され、揺動フレーム２２の上部を中心に後部が上下に回動され、培土体２の前後角度を変更可能に構成している。
幅調節アーム２３は一端が培土板１８の内面に回動自在に枢支され、幅調節アーム２３の他端が揺動フレーム２２の後部に前後位置調節可能に固定されている。こうして、幅調節アーム２３の揺動フレーム２２に対する前後位置を変更することにより、培土板１８の後部が左右に回動され、左右の培土板１８の後部の離間幅を変更することを可能としている。
また、培土板１８は、後輪１２の直前方の近傍に配置されており、すなわち後輪１２の近傍に配置されている。後輪１２の高さは変更可能に構成されている。図１に示すように、前記補助フレーム２６の上下フレーム２６ｂには、後輪１２を支持する支持杆が上下摺動可能に取り付けられており、上下フレーム２６ｂの上部に設けた調節ハンドル２４が回動されることにより、支持杆が上下摺動して、後輪１２の高さが変更される。
【００２２】
以上のように、乗用培土機１に関しては、培土体２が後輪１２の直前方に配置され、培土体２の高さ及び後輪１２の高さが、それぞれ変更可能に構成される。これにより、圃場の土質による後輪１２の沈み込みの深さに合わせて、培土体２と後輪１２の高さを相対的に調整することが容易に行える。
【００２３】
図１及び図９に示すように、走行機体１０の左右両側には補助輪２５が設けられている。補助輪２５は、補助フレーム２６を介して走行機体１０の機体フレーム２０に取り付けられている。補助フレーム２６の横フレーム２６ａの左右両端部には補助輪取付ロッド２７がそれぞれ取り付けられており、補助輪取付ロッド２７の下端には補助輪２５がそれぞれ取り付けられている。
【００２４】
補助輪取付ロッド２７は、継手部材２８を介して補助フレーム２６に取り付けられている。継手部材２８は、左右方向に貫通する角管２８ａと、上下方向に貫通する角管２８ｂが一体的に固設され、横フレーム２６ａに角管２８ａが左右摺動可能に外嵌されて、角管２８ｂに補助輪取付ロッド２７が上下摺動可能に嵌挿されている。角管２８ａは横フレーム２６ａに対してネジ部材２９により固定され、補助輪取付ロッド２７は角管２８ｂに対してネジ部材３０により固定される。
【００２５】
補助輪２５の左右方向の位置決めは、ネジ部材２９を緩めて、補助輪取付ロッド２７を左右移動させて、補助輪２５を所望の左右位置へ配置して、ネジ部材２９を締め付けることによって行われる。
補助輪２５の高さの位置決めは、ネジ部材３０を緩めて、補助輪取付ロッド２７を上下移動させて、補助輪２５を所望の高さへ配置して、ネジ部材３０を締め付けることによって行われる。
【００２６】
補助輪２５は、培土体２の左右両側に配置される。なお、補助輪２５の位置に関しては、走行機体１０の左右両側に存在していればよく、本実施形態のような培土体２の左右両側（走行機体１０中央部の左右両側）には限定されない。補助輪２５は、走行機体１０前部の左右両側や、走行機体１０後部の左右両側に配置されてもよい。
【００２７】
上記のように構成した乗用培土機１は、平坦圃場で新たに畝立てを行う場合に用いることも可能であり、又は、形成された畝上に野菜等の作物が作付され、苗やある程度成長した作物の根本に、土寄せを行う場合に用いることも可能である。
図１０に示すように、例えば、乗用培土機１は、畝３１・３１の間の溝３２上に前輪１１及び後輪１２を配置して、畝３１の隣の溝３３・３４上に補助輪２５をそれぞれ配置した状態で、走行機体１０を前進させることによって、培土体２により溝３２の耕土を削り左右に持ち上げながら分けて、畝中央部側へ土寄せを行う。但し、前記ブラケット２６ｄには培土体２の代わりにレーキを取り付けて、溝及び畝側面の除草作業を行うように構成することもできる。
【００２８】
上記したように、走行機体１０の左右両側には補助輪２５が設けられるので、走行機体１０が補助輪２５で支持されて倒れることが抑制されるので、安定して走行することが可能となる。
また、補助輪２５の高さが変更可能に構成されるので、補助輪２５の高さを圃場の状態に応じて調節することが可能となる。また、図１１に示すように、補助輪２５の下端を前輪１１と後輪１２の下端よりも僅かに高く配置して、すなわち、走行機体１０を水平に配置した状態で補助輪２５が僅かに圃場（溝３３・３４）から浮くようにして、走行機体１０が一定範囲で左右に傾動できるように構成することが可能である。これにより、運転者が、走行機体１０を運転している状態で、体重を左右に移動させて操向することが可能となる。
また、補助輪２５の左右位置が変更可能に構成されるので、補助輪２５の左右位置を畝幅等に応じて変更することが可能である。
【００２９】
図１２（ａ）及び図１２（ｂ）に示すように、補助輪２５を足載せ部１７に取り付けて、補助輪２５を走行機体１０前部の左右両側に配置するように構成してもよい。具体的には、足載せ部１７を左右側方へ延長し、足載せ部１７の延長杆部に、継手部材２８を用いて補助輪取付ロッド２７を取り付ける。これにより、足載せ部１７に補助輪２５が取り付けられた状態になる。補助輪２５は、継手部材２８により、左右方向の位置の変更、及び高さの変更をできるように構成される（図９参照）。
これによると、足載せ部１７により補助輪２５が支持されるので、補助輪２５を支持するための部材（上記補助フレーム２６の横フレーム２６ａ等）を別途設ける必要がなく、部品点数を減らすことが可能となる。
【００３０】
以上のように乗用培土機１は、
前後一直線上に単一の前輪１１及び単一の後輪１２が設けられる乗用型の走行機体１０と、
前輪１１及び後輪１２の間に設けられる培土体２と、
走行機体１０に取り付けられ、走行機体１０の左右両側に配置される補助輪２５と、
を備える。
【００３１】
これにより、走行機体１０が左右の補助輪２５で支持されて倒れることが抑制されるので、安定して走行することが可能となる。また、前輪１１と後輪１２の間に培土体２が配置されるので、走行機体１０が前後に傾斜した場合、後輪１２の後方に培土体２を取り付けるよりも培土体２の深さの変化量を小さく抑えることができる。また、後輪１２で押さえ付けられる前に培土体２で圃場の土を寄せることになり、持ち上げ効率が良い。
【００３２】
また、乗用培土機１においては、
補助輪２５の高さが変更可能に構成される。
【００３３】
これにより、補助輪２５の高さを圃場の状態に応じて調節することが可能となる。また、補助輪２５の下端を前輪１１と後輪１２の下端よりも僅かに高く配置して、走行機体１０が一定範囲で左右に傾動できるように構成することが可能である。これにより、運転者が、走行機体１０を運転している状態で、体重を左右に移動させて、走行機体１０を左右に傾動させて操向操作することが可能となる。
【００３４】
また、乗用培土機１においては、
培土体２は、後輪１２の直前方に配置され、
培土体２の高さ及び後輪１２の高さが、それぞれ変更可能に構成される。
【００３５】
これにより、圃場の土質による後輪１２の沈み込みの深さに合わせて、培土体２と後輪１２の高さを相対的に調整することが容易に行える。
【００３６】
また、乗用培土機１においては、
走行機体１０には、運転席１４と、運転席１４への着座者が足を載せる足載せ部１７が設けられ、
足載せ部１７には、補助輪２５が取り付けられる。
【００３７】
これにより、部品点数を減らすことが可能となる。
【符号の説明】
【００３８】
１      乗用培土機
１０    走行機体
１１    前輪
１２    後輪
１８    培土板
２５    補助輪
【図１】
0003182999.tif 000003
【図２】
0003182999.tif 000004
【図３】
0003182999.tif 000005
【図４】
0003182999.tif 000006
【図５】
0003182999.tif 000007
【図６】
0003182999.tif 000008
【図７】
0003182999.tif 000009
【図８】
0003182999.tif 000010
【図９】
0003182999.tif 000011
【図１０】
0003182999.tif 000012
【図１１】
0003182999.tif 000013
【図１２】
0003182999.tif 000014